(57)【要約】【課題】収納容器内の内容物が少量となった場合でも、内容物が収納容器内の片側に偏りにくく、収納容器が破れにくく、固定具が外れて壁面から落下しにくい、収納容器を提供する。【解決手段】天面２に内容物の取出し口５と、底面３に固定具７を装着することができる一対の押込み部６とを備え、ＪＩＳ  Ｐ８１２４に規定する基材の坪量が、２１０〜５５０ｇ／ｍ２であることを特徴とする収納容器１である。一対の押込み部６は、底面３の長手方向あるいは短手方向に、所定の間隔をあけて、複数列に配置することにより、様々な状況に合わせて、収納容器１を壁面に固定することができる。【選択図】図１
2015020789.tif 000002
【特許請求の範囲】
【請求項１】
天面に内容物の取出し口と、
底面に固定具を装着することができる一対の押込み部とを備え、
ＪＩＳ  Ｐ８１２４に規定する基材の坪量が２１０〜５５０ｇ／ｍ２であることを特徴とする収納容器。
【請求項２】
前記一対の押込み部は、前記底面の長手方向あるいは短手方向に、所定の間隔をあけて、複数列に配置することを特徴とする請求項１に記載の収納容器。
【請求項３】
前記収納容器は、開口用破断線を押圧して開口した前記一対の押込み部に、前記固定具を各々１つずつ装着することを特徴とする請求項１または２のいずれか１項に記載の収納容器。
【請求項４】
前記収納容器は、ＪＩＳ  Ｐ８１１８に規定する基材の厚さが、０．２〜０．８ｍｍであることを特徴とする請求項１〜３のいずれか１項に記載の収納容器。
【請求項５】
前記収納容器は、基材のＪＩＳ  Ｐ８１１６に規定する縦方向の引裂強さが、１５８０〜３５３０ｍＮであり、横方向の引裂強さが、１９６０〜４２１０ｍＮであることを特徴とする請求項１〜４のいずれか１項に記載の収納容器。
【請求項６】
前記一対の押込み部が各々の開口用破断線上またはその近傍に押し罫線を有することを特徴とする請求項３〜５のいずれか１項に記載の収納容器。
【請求項７】
前記一対の押込み部は、各々折り罫線が設けられ、前記折り罫線を前記収納容器の内側または外側に折り返して押込み片を形成し、前記押込み片が前記固定具に隙間なく嵌合することを特徴とする請求項１〜６のいずれか１項に記載の収納容器。
【請求項８】
前記開口用破断線が頂点部と頂点部以外の領域で異なるピッチで設けたミシン目で形成することを特徴とする請求項３〜７のいずれか１項に記載の収納容器。
【請求項９】
前記開口用破断線が切り残し部を有することを特徴とする請求項３〜８のいずれか１項に記載の収納容器。
【発明の詳細な説明】
【技術分野】
【０００１】
本発明は、壁面等に取付けることのできる収納容器に関する。
【背景技術】
【０００２】
ティッシュペーパー、ワイパー、キッチンタオル等のいわゆる薄葉紙やビニール袋、腕カバー、靴カバー、使い捨て手袋、使い捨てエプロン、マスク、ヘアキャップ等の比較的薄い素材でできた製品は、一般的に、紙製の収納容器内に重層して収納し、該収納容器の天面に形成した取出し口から、薄葉紙等の内容物を１枚あるいは１組ずつ、順に引き出していく保管方法をとっている。
【０００３】
また、この様な収納容器は、大概がテーブル等に据え置きして使用しているが、使用したい場所に適当なスペースがない場合、冷蔵庫や壁面に固定させることが行われている。その場合、磁石や吸盤を備えた固定具を収納容器に取付け、磁力等を利用して壁面にあてがい、収納容器を固定することとなる（特許文献１及び２参照）。
【先行技術文献】
【特許文献】
【０００４】
【特許文献１】特開２０００−１９７５８１号公報
【特許文献２】特開２００３−０２６１８０号公報
【発明の概要】
【発明が解決しようとする課題】
【０００５】
しかしながら、収納容器内の薄葉紙等の内容物が少量となった場合、該内容物が収納容器内の片側に偏ったり、内容物が折り重なったまま下がって収納容器内の重量に偏りが生じたりすることがあった。また、収納容器から内容物を引き出すときに、収納容器に働く力が偏って収納容器の強度がその力に耐えられず収納容器が破れたり、固定具が外れて壁面から落下したりすることがあった。
【０００６】
本発明は、かかる点に鑑みてなされたものであり、収納容器内の内容物が少量となった場合でも、内容物が片側に偏りにくく、収納容器が破れにくく、固定具が外れて壁面から落下しにくい、収納容器を提供することを目的とする。
【課題を解決するための手段】
【０００７】
このような目的を達成するため、本発明は、以下の構成によって把握される。
（１）本発明の収納容器は、天面に内容物の取出し口と、底面に固定具を装着することができる一対の押込み部とを備え、ＪＩＳ  Ｐ８１２４に規定する基材の坪量が、２１０〜５５０ｇ／ｍ２であることを特徴とする。
【０００８】
この構成によれば、本構成を有しない場合に比して、収納容器内の内容物が少量となった場合でも、内容物が偏りにくく、収納容器が破れにくく、固定具が外れて壁面から落下しにくい、収納容器を提供できる。
【０００９】
（２）本発明の収納容器は、（１）の構成において、前記一対の押込み部は、前記底面の長手方向あるいは短手方向に、所定の間隔をあけて、複数列に配置することを特徴とする。
【００１０】
この構成によれば、収納容器を固定する状況に応じて、固定具の位置を選択することができる。
【００１１】
（３）本発明の収納容器は、（１）または（２）のいずれかの構成において、前記収納容器は、開口用破断線を押圧して開口した前記一対の押込み部に、前記固定具を各々１つずつ装着することを特徴とする。
【００１２】
この構成によれば、様々なタイプの固定具を使用して、収納容器を固定する場所を広げることができる。
【００１３】
（４）本発明の収納容器は、（１）ないし（３）のいずれかの構成において、前記収納容器は、ＪＩＳ  Ｐ８１１８に規定する基材の厚さが、０．２〜０．８ｍｍであることを特徴とする。
【００１４】
この構成によれば、固定具を収納容器から外れにくくすることができる。
【００１５】
（５）本発明の収納容器は、（１）ないし（４）のいずれかの構成において、前記収納容器は、基材のＪＩＳ  Ｐ８１１６に規定する縦方向の引裂強さが、１５８０〜３５３０ｍＮであり、横方向の引裂強さが１９６０〜４２１０ｍＮであることを特徴とする。
【００１６】
この構成によれば、収納容器の破損や壁面からの落下を、より一層防止することができる。
【００１７】
（６）本発明の収納容器は、（３）ないし（５）のいずれかの構成において、前記一対の押込み部が各々の開口用破断線上または近傍に押し罫線を有することを特徴とする。
【００１８】
この構成によれば、収納容器の変形防止や強度を向上することができる。
【００１９】
（７）本発明の収納容器は、（１）ないし（６）のいずれかの構成において、前記一対の押込み部は、各々折り罫線が設けられ、前記折り罫線を前記収納容器の内側に折り返して押込み片を形成し、前記押込み片が前記固定具に隙間なく嵌合することを特徴とする。
【００２０】
この構成によれば、固定具を安定的に取り付けることができる。
【００２１】
（８）本発明の収納容器は、（３）ないし（７）のいずれかの構成において、前記開口用破断線は頂点部と頂点部以外の領域で異なるピッチで設けたミシン目で形成することを特徴とする。
【００２２】
この構成によれば、開口用破断線を押圧して開口する際に、開口を容易にすることができる。
【００２３】
（９）本発明の収納容器は、（３）ないし（８）のいずれかの構成において、前記開口用破断線が切り残し部を有することを特徴とする。
【００２４】
この構成によれば、開口用破断線６４を設けたことによる収納容器１の強度低下を抑制し、開口する際に開口したい部位以外の破断を防止することができる。
【発明の効果】
【００２５】
本発明によれば、安定して壁面に固定できる収納容器を提供することが可能となる。
【図面の簡単な説明】
【００２６】
【図１】本発明の収納容器の一実施形態を示す概略構成図である。
【図２】図１において、Ａから見た本発明の実施形態に係る収納容器の底面を示す模式図である。
【図３】本発明の実施形態に係る押込み部の拡大図である。
【図４】本発明の実施形態に係る開口用破断線を形成するミシン目及び切れ目を示す模式図である。
【図５】本発明の実施形態に係る収納容器の押込み部に、固定具を取り付けた状態を示す断面図である。
【図６】本発明の実施形態に係る収納容器の押込み部に、図５とは異なる形態の固定具を取り付けた状態を示す断面図である。
【図７】固定具を取り付けた位置を示す本実施形態に係る収納容器の底面図及び該収納容器を壁面に取付けた状態を示す断面図である。
【図８】図７とは異なる箇所に固定具を取り付けた位置を示す本実施形態に係る収納容器の底面図及び該収納容器を壁面に取付けた状態を示す断面図である。
【図９】本発明の実施形態に係る収納容器から薄葉紙を引っ張り出すときの概略図である。
【図１０】図７及び図８とは異なる箇所に固定具を取り付けた位置を示す本実施形態に係る収納容器の底面図及び該収納容器を壁面に取付けた状態を示す断面図である。
【図１１】本発明の実施形態に係る収納容器の底面に形成する押し領域を示す模式図である。
【図１２】本発明の実施形態に係る収納容器の底面に形成する押込み片を示す模式図及び該収納容器を壁面に取付けた状態を示す断面図である。
【図１３】本発明の実施形態に係る押込み部を形成するミシン目のピッチを示す模式図である。
【図１４】本発明の実施形態に係る収納容器の開口用破断線あるいはその近傍に形成する押し罫線を示す模式図である。
【発明を実施するための形態】
【００２７】
（実施形態）
上記課題を解決するため、本発明の収納容器の好ましい実施の形態（以下、実施形態という）を、添付図面を参照して以下に詳細に説明する。なお、実施形態の説明は、全体を通して同じ要素には同じ番号を付している。また、本発明の用語のうち、「長手方向」とは、図２の左右方向を意味し、「短手方向」とは、図２の上下方向を意味する。
【００２８】
本実施形態の一例として、薄葉紙を収納した収納容器について説明する。図１に示すように、本発明の収納容器１は、天面２には薄葉紙４を１枚あるいは１組ずつ、順に引き出していく薄葉紙の取出し口５と、底面３には壁面８等に収納容器１を固定するための固定具７（図５〜図１０参照）を装着することができる一対の押込み部６（６１Ａ〜６３Ｂ）とを備えている。
【００２９】
本実施形態において、固定具７は、本体７１に固着部７２を備える構造をとっている。本体７１の素材としては、特に限定はないが、例えば、可撓性を有する、プラスチック、シリコン、木材があげられ、固着部７２の素材も、特に限定はなく、磁石、接着テープ、粘着テープ、吸盤をあげることができる。そして、図５に示すように、矩形板状の本体７１の両端を、一対の押込み部６を天面２に押し込んで開口した部分に、それぞれ挿入して装着し、固着部７２を介して、収納容器１を壁面８に固定する。
【００３０】
また、図６に示すように、収納容器１は、本体７１に押込み部からの脱離を防止するためのフック部７３を有するタイプの固定具７を、一対の押込み部６に対して、各々１つずつ挿入して装着し、固着部７２を介して、壁面８に固定する。本発明における収納容器１は、十分な強度を有するので、比較的小型の固定具７を別々に装着することができる。さらに、図５に示すような一対の押込み部を利用する固定具７を併用することもできる。
【００３１】
収納容器１の外形寸法としては、特に制限はないが、壁面８等に固定する収納容器１の消費者の嗜好性を鑑みると、高さ３５〜３００ｍｍ、長手方向５０〜５００ｍｍ、短手方向５０〜５００ｍｍの略直方体であることが好ましい。
【００３２】
本実施形態において、薄葉紙４は、ティシュペーパー、ワイパー、ペーパータオル、キッチンタオル、キッチンシート、灰汁取りシート、トイレットペーパー等をあげることができるが、これらに限定されるものではない。また、収納容器１に収納される内容物は、薄葉紙４に限らず、ビニール袋、腕カバー、靴カバー、使い捨て手袋、使い捨てエプロン、マスク、ヘアキャップをあげることができる。
【００３３】
本実施形態において、収納容器１を構成する基材としては、特に制限はなく、例えば、木材パルプ、古紙、段ボール紙、コートボール紙を使用することができる。なかでも、強度の観点から、コートボール紙が好ましい。また、耐水性や耐油性を向上させるために、基材の表面にポリアクリルアミド、ポリビニルアルコール、デンプン等の紙力増強剤を塗布すること、さらに、収納容器１の強度を向上させるために、基材の表面に顔料やワニスを塗布すること及び蒸着フィルムを貼付することも好ましい。
【００３４】
基材の坪量は、ＪＩＳ  Ｐ８１２４に準じて測定され、２１０〜５５０ｇ／ｍ２、好適には、３５０〜５５０ｇ／ｍ２である。基材の坪量が、２１０ｇ／ｍ２未満であると、強度が不十分であるために、壁面８（図５〜図１０参照）に固定された収納容器１から薄葉紙４を引っ張り出す際に、収納容器１に破損や落下が生じやすくなり、一方、５５０ｇ／ｍ２を超えると、基材である平面紙から立体形状にして収納容器１へと形成する際に、加工性が低下する。
【００３５】
収納容器１の基材の紙厚Ｔ（図５及び図６参照）は、ＪＩＳ  Ｐ８１１８に準じて測定され、（０．２〜０．８）ｍｍである。紙厚が０．２ｍｍ未満であると、収納容器１に対する固定具７の装着が不安定になり、一方、０．８ｍｍを超えると、収納容器１への加工性が低下する。
【００３６】
収納容器１の基材のＪＩＳ  Ｐ８１１６に規定する縦方向の引裂強さは、１５８０〜３５３０ｍＮであり、横方向の引裂強さは、１９６０〜４２１０ｍＮである。縦方向の引裂強さが１５８０未満、横方向の引裂強さが１９６０ｍＮ未満であると、壁面８に固定した際に、破損しやすくなり、一方、縦方向の引裂強さが３５３０ｍＮを超え、横方向の引裂強さが４２１０ｍＮを超えると、加工性が低下する。
【００３７】
また、収納容器１は、一対の押込み部６を備えたことによる強度の低下を抑制する観点から、図１１に示すように、底部３の長手方向又は短手方向に一対、あるいは、四隅の角部に押し領域を形成することが望ましい。押し領域の形成方法としては、例えば、収納容器１の基材へのエンボス加工をあげることができる。
【００３８】
本実施形態において、一対の押込み部６は、それぞれの開口用破断線６４を爪等で切り開いて収納容器１の天面２に向けて押し込み、開口させて固定具７を挿入し、装着させるために、収納容器１に備えている。
【００３９】
図２に示すように、一対の押込み部６は、底面３の長手方向あるいは短手方向に、所定の間隔をあけて、複数列に配置する。なお、図２では、一対の押込み部６を長手方向に３列に配置しているが、これに限られるものではない。また、所定の間隔を有していれば、必ずしも一対の押込み部６どうしを平行に配列する必要はない。また、固定具７は必ずしも一対の押込み部６を利用する必要はなく、図６に示すような個々の押込み部（６１Ａ〜６３Ｂ）に対して、個々の固定具７を装着する場合、６１Ｂ、６２Ａ、６３Ｂのような、くの字に配置してもよい。
【００４０】
一対の押込み部６を複数列に配置した場合、図７〜図１０に示すように、薄葉紙４の残量や、収納容器１の重さ、配置する所望の方向等、様々な状況に合わせて、収納容器１を壁面８に固定することとなる。例えば、図７及び図９に示すように、壁面８の高い位置に収納容器１を固定した場合、薄葉紙４は下部に引っ張られ、その引っ張る力は収納容器１の上端に働くので、複数列に配置した一対の押込み部６の中から、上部を選択して固定具７を押込み部６１Ａ及び６１Ｂに装着（図７（ａ）斜線部）し、落下を防ぐこととなる。同様に、壁面８から水平に薄葉紙４を引っ張る場合、壁面８の低い位置から上部に薄葉紙４を引っ張る場合であっても、固定具７を装着する位置を変更することで、簡単に対応することができる。
【００４１】
また、図８（ａ）及び（ｂ）に示すように、押込み部６１Ａ、６１Ｂ、６３Ａ、６３Ｂに固定具７を装着するように、固定具７の数を調整することにより、固定具７の固定力を調整し、薄葉紙４の残量に適合することができる。さらに、図１０（ａ）及び（ｂ）に示すように、一対の押込み部６の一方（６１Ａ、６２Ａ、６３Ａ）に固定具７を装着し、例えば、テーブル甲板のような延設部の下面に対して、収納容器１の一部分を露出するように固定することができ、スペースが乏しい状況であっても、収納容器１の設置が簡単に行えるようになる。
【００４２】
一対の押込み部６の開口部分の形状としては、固定具７に係合できるものであれば特に限定はないが、例えば、図３（ａ）に示す楕円形、図３（ｂ）〜（ｅ）に示すｎ角形（ｎは３以上の整数）があげられる。なかでも、固定具７を収納容器１へと装着した際に、固定具７の脱離を防止する観点から、ｎ角形の形状とすることが好ましい。さらに、押込みをする際の指等の引っ掛かり防止の観点から、図３（ｆ）に示すように、例えば、ｎ角形の角部を丸めることも好ましい。
【００４３】
個々の押込み部（６１Ａ〜６３Ｂ）には、所望の上記形状に開口するために、予め開口用破断線６４を切れ目あるいはミシン目で形成している。切れ目あるいはミシン目の形状としては、直線や曲線等、特に限定はないが、例えば、４角形に開口させる場合、図４（ａ）〜（ｆ）に示す、切れ目６４Ａとミシン目６４Ｂとの組合せがあげられる。なかでも、ミシン目６４Ｂを破断して開口を容易にするために、図４（ａ）に示すような、対向する直線の切れ目６４Ａに対して、直交するミシン目６４Ｂを設けることが好ましい。また、個々の押込み部（６１Ａ〜６３Ｂ）を、押し戻して蓋として利用することにより、収納容器１内の薄葉紙４の衛生状態を維持することや、薄葉紙４を最後まで確実に引っ張り出すための押上片として利用するといった観点から、収納容器１の底部３から切り離さないように、開口用破断線６４を形成することも好ましい。そして、このように収納容器１の底部３から切り離さないように開口用破断線６４を形成している場合、あるいは、開口用破断線６４の一部を破断しない場合のいずれの場合においても、押圧により開口した一対の押込み部６は、各々押込み片６６として収納容器１の底面３に形成される。
【００４４】
ところで、固定具７を収納容器１に装着した際、図５で示すような矩形板状の本体７１の両端及び図６で示すような固定具７のフック部７３と収納容器１の底面３との間には、隙間が生じていることが多く、このため、収納容器１が壁面８から脱落する原因の一つとなっていた。そこで、この隙間を埋めて固定具７と収納容器１を一体化させ、固定具７とのフィット性を向上させる観点から、一対の押し込み部６に、各々折り罫線６７を設け、この折り罫線６７を収納容器１の内側または外側に折り返して押込み片６６を形成し、この押込み片６６が固定具７に隙間なく嵌合する構成とした（図１２（ｃ））。本実施形態の収納容器１は、上記のとおり、所望の方向に固定具７を配置することができるため、短手方向及び長手方向いずれにも押込み片６６を折り返せるようにする必要がある。これに対応するため、折り罫線６７は、少なくとも十字状（図１２（ａ））であることが好ましく、短手方向及び長手方向にそれぞれ２本以上形成することがより好ましい。また、図１２（ｂ）に示すような、短手方向及び長手方向へのアコーディオン状加工や、碁盤目状にエンボス加工を施すことも好ましい。
【００４５】
ところで、開口用破断線６４をミシン目６４Ｂで形成する場合、一対の押し上げ部６の開口性と収納容器１の密封性とのバランスの観点から、開口用破断線６４は、頂点部６４Ｃと頂点部６４Ｃ以外の領域で異なるピッチで設けたミシン目６４Ｂで形成する。例えば、図１３（ａ）で示すような、頂点部６４Ｃのピッチが頂点部６４Ｃ以外の領域のピッチより粗い場合、頂点部６４Ｃが指等を押し込みやすい。逆に、図１３（ｂ）で示すような、頂点部６４Ｃ以外の領域のピッチが頂点部６４Ｃのピッチより粗い場合、頂点部６４Ｃ以外の領域が指等を押し込みやすい。また、開口用破断線６４は、切り残し部６４Ｄを有する（図１３（ｃ））。これにより、開口用破断線６４の設置による収納容器１の強度低下を抑制することとなる。さらに、開口する際には、指等を押し込んでいる開口用破断線６４とは別の開口用破断線６４まで横広がりに破断することや、押し上げ部周辺の基材の表層も一緒に剥がれることを防止する。切り残し部６４Ｄは、開口用破断線６４に少なくとも一か所形成すればよく、複数カ所に形成してもよい。いずれにしても、ピッチに粗密を設けることで、開口性と密封性とのバランスに対して、有効な手段となる。
【００４６】
また、開口後の収納容器１の変形防止や強度を確保する観点から、各々の開口用破断線６４上（図１４（ａ））またはその近傍（図１４（ｂ））に押し罫線６５を有する。押し罫線６５の形状は、押込みをする際の指等の引っ掛かり防止の観点から、円弧状であることが好ましいが、これに限られるものではない。押し罫線６５を複数形成する場合、該押し罫線６５は、開口用破断線６４を挟みこむように形成してもよい（図１４（ｃ））。さらに、開口用破断線６４の内側全体に押し罫線６５を形成してもよい（図１４（ｄ））。押し罫線６５の形成方法として、例えば、スジ入れ加工をあげることができる。
【００４７】
収納容器１に固定具７を取り付ける方法について説明する。まず、収納容器１の底面３に備えられる一対の押込み部６を開口するために、開口用破断線６４を指等で押し込んで天面２に向かって破断させる。通常、収納容器１内には、薄葉紙４が収納されており、底部３から一対の押込み部６を切り離さない構成では、薄葉紙４を押しのける形で一対の押込み部６を収納容器１の内側に折り込むこととなる。
【００４８】
次に、開口した一対の押込み部６に、固定具７を装着する。図５に示す一対の押込み部６を利用する固定具７の場合、まず、本体７１の両端の一端を、一対の押込み部６の開口部分の１つに滑り込ませるように差し込み、固定具７の本体７１の可撓性を利用して固定具７を撓ませ、反対側の一端を、まだ差し込まれていない個々の押込み部の開口部分に滑り込ませるように差し込む。固定具７１が装着された収納容器１は、固定部７２の磁力あるいは吸着力等により、壁面８に固定することが可能となる。
【００４９】
図６に示す個々の押込み部を利用する固定具７の場合、固定具７のフック部７３の一方を、開口した押込み部に、天面２に向かって底面３より下方になるまで押し下げた後、フック部７３の他方を、開口した押込み部の他方に、天面２に向かって底面３より下方になるまで押し下げることにより、フック部７３全体を押込み部に差し込み、固定具７を収納容器１に装着する。
【００５０】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることは、特許請求の範囲の記載から明らかである。
【符号の説明】
【００５１】
１      収納容器
Ｔ      基材の紙厚
２      天面
３      底面
３１    押し領域
４      薄葉紙
５      薄葉紙の取出し口
６      一対の押込み部
６１Ａ、６１Ｂ、６２Ａ、６２Ｂ、６３Ａ、６３Ｂ      押込み部
６４    開口用破断線
６４Ａ  切れ目
６４Ｂ  ミシン目
６４Ｃ  頂点部
６４Ｄ  切り残し部
６５    押し罫線
６６    押込み片
６７    折り罫線
７      固定具
７１    本体
７２    固定部
７３    フック部
８      壁面
【図１】
2015020789.tif 000003
【図２】
2015020789.tif 000004
【図３】
2015020789.tif 000005
【図４】
2015020789.tif 000006
【図５】
2015020789.tif 000007
【図６】
2015020789.tif 000008
【図７】
2015020789.tif 000009
【図８】
2015020789.tif 000010
【図９】
2015020789.tif 000011
【図１０】
2015020789.tif 000012
【図１１】
2015020789.tif 000013
【図１２】
2015020789.tif 000014
【図１３】
2015020789.tif 000015
【図１４】
2015020789.tif 000016